(57)【要約】【課題】スラブ開口部に対する柱状部材の挿入がスムーズに行えて、柱状部材を垂直に設置できるようにする。【解決手段】建築中の建物のスラブ２に形成される開口部２１に柱状部材３を挿入する方法であって、スラブ開口部２１の上に、柱状部材３の挿入をガイドするガイド穴１０を有するガイド部材１を載せて、そのガイド部材１のガイド穴１０に柱状部材３を挿入する。そして、スラブ開口部２１に装着されるガイド部材１は、ガイド穴１０を囲んでスラブ開口部２１内に収まる方形枠１１・１２と、その方形枠１１・１２と一体化されて外方に突出し、スラブ開口部２１周囲のスラブ２上に載せる突出部１５と、を備える。具体的には、方形枠１１・１２の一辺部１２が、他の平行する二辺部１１に対し着脱可能に結合されている。さらに、方形枠１１と一体化されて、持ち運ぶための取っ手１５を備える。【選択図】図１
2018071096.tif 000002
【特許請求の範囲】
【請求項１】
建築中の建物のスラブに形成される開口部に柱状部材を挿入する方法であって、
前記開口部の上に、前記柱状部材の挿入をガイドするガイド穴を有するガイド部材を載せて、
前記ガイド部材の前記ガイド穴に前記柱状部材を挿入することを特徴とするスラブ開口部への柱状部材挿入方法。
【請求項２】
前記開口部、柱状部材、及びガイド穴は方形であることを特徴とする請求項１に記載のスラブ開口部への柱状部材挿入方法。
【請求項３】
建築中の建物のスラブに形成される開口部に装着されて柱状部材の挿入をガイドするガイド穴を有するガイド部材であって、
前記ガイド穴を囲んで前記開口部内に収まる方形枠と、
前記方形枠と一体化されて外方に突出し、前記開口部周囲の前記スラブ上に載せる突出部と、を備えることを特徴とするスラブ開口部用ガイド部材。
【請求項４】
前記方形枠の一辺部が、他の平行する二辺部に対し着脱可能に結合されていることを特徴とする請求項３に記載のスラブ開口部用ガイド部材。
【請求項５】
前記方形枠と一体化されて、持ち運ぶための取っ手を備えることを特徴とする請求項３または４に記載のスラブ開口部用ガイド部材。
【発明の詳細な説明】
【技術分野】
【０００１】
本発明は、建築中の建物のスラブに形成される開口部に対する柱状部材の挿入方法と、その柱状部材挿入方法に用いるスラブ開口部用ガイド部材に関する。
【背景技術】
【０００２】
コンクリートポンプ車により圧送される生コンクリートを、建築現場に設置したディストリビュータ柱（固定ブーム）に沿わせた配管に通し、さらに、ディストリビュータ柱上に旋回可能に備えた多段式分配ブームに沿わせた配管に通して、各階に打設する、生コンクリートのディストリビュータシステムが知られる（例えば特許文献１参照）。
【先行技術文献】
【特許文献】
【０００３】
【特許文献１】特表２０１６−５０３１３３号公報
【発明の概要】
【発明が解決しようとする課題】
【０００４】
ところで、ディストリビュータ柱の設置する際は、建物躯体のスラブに設けた開口部にディストリビュータ柱を挿入するが、ディストリビュータ柱より大きな開口部にしておかないと、ディストリビュータ柱の挿入が難しく、また、ディストリビュータ柱に損傷が発生する虞もある。
そして、ディストリビュータ柱は垂直に設置する必要がある。
【０００５】
本発明の課題は、スラブ開口部に対する柱状部材の挿入がスムーズに行えて、柱状部材を垂直に設置できるようにすることである。
【課題を解決するための手段】
【０００６】
以上の課題を解決するため、請求項１に記載の発明は、
建築中の建物のスラブに形成される開口部に柱状部材を挿入する方法であって、
前記開口部の上に、前記柱状部材の挿入をガイドするガイド穴を有するガイド部材を載せて、
前記ガイド部材の前記ガイド穴に前記柱状部材を挿入することを特徴とする。
【０００７】
請求項２に記載の発明は、
請求項１に記載のスラブ開口部への柱状部材挿入方法であって、
前記開口部、柱状部材、及びガイド穴は方形であることを特徴とする。
【０００８】
請求項３に記載の発明は、
建築中の建物のスラブに形成される開口部に装着されて柱状部材の挿入をガイドするガイド穴を有するガイド部材であって、
前記ガイド穴を囲んで前記開口部内に収まる方形枠と、
前記方形枠と一体化されて外方に突出し、前記開口部周囲の前記スラブ上に載せる突出部と、を備えることを特徴とする。
【０００９】
請求項４に記載の発明は、
請求項３に記載のスラブ開口部用ガイド部材であって、
前記方形枠の一辺部が、他の平行する二辺部に対し着脱可能に結合されていることを特徴とする。
【００１０】
請求項５に記載の発明は、
請求項３または４に記載のスラブ開口部用ガイド部材であって、
前記方形枠と一体化されて、持ち運ぶための取っ手を備えることを特徴とする。
【発明の効果】
【００１１】
本発明によれば、スラブ開口部に柱状部材をスムーズに挿入することができて、柱状部材を垂直に設置することができる。
【図面の簡単な説明】
【００１２】
【図１】本発明を適用したスラブ開口部用ガイド部材の一実施形態の構成を示す斜視図である。
【図２】図１のスラブ開口部用ガイド部材の分解図である。
【図３】柱状部材の設置状態例を示す概略斜視図である。
【図４】図３の柱状部材のスラブに対する設置の仕方を例示する概略斜視図である。
【図５】図４の柱状部材とスラブ開口部との関係を例示する概略平面図である。
【発明を実施するための形態】
【００１３】
以下、図を参照して本発明を実施するための形態を詳細に説明する。
（実施形態）
先ず、図３は柱状部材としてのディストリビュータ柱３の設置状態例を示すもので、図示のように、建築中の建物の内部において、ディストリビュータ柱３が垂直に設置されており、このディストリビュータ柱３の上端部には、多段式伸縮ブーム４が備えられている。
【００１４】
これらディストリビュータ柱３及び多段式伸縮ブーム４に沿ってコンクリート圧送管５が設けられ、建物外部に配置された図示しないコンクリートポンプ車により生コンクリートがコンクリート圧送管５を通って先端の図示しないコンクリートホースから建物内部のスラブ等に打設される。
【００１５】
図４はディストリビュータ柱３のスラブ２に対する設置の仕方を例示するもので、図示のように、ディストリビュータ柱３は、複数階のスラブ２に形成された開口部２１に挿入して垂直に設置されて、固定金物６でスラブ２に固定される。
【００１６】
図５はディストリビュータ柱３とスラブ２の開口部２１との関係を例示するもので、図示のように、スラブ２の方形の開口部２１に、略四角柱のディストリビュータ柱３が挿入される。
このディストリビュータ柱３の対向する二面部に沿った形成した凹部３１の一方に沿ってコンクリート圧送管５が設けられて、他方の凹部３１に沿ってセルフクライミング装置７が設けられている。
【００１７】
以上において、スラブ２の開口部２１は一辺の幅が１０００ｍｍの正四角形で、ディストリビュータ柱３は一面の幅が８５０ｍｍとなっている。
このようなスラブ開口部２１に対しディストリビュータ柱３をスムーズに挿入して、ディストリビュータ柱３を垂直に設置できるようにするために、本発明のスラブ開口部用ガイド部材を用いる。
【００１８】
次に、図１及び図２は本発明を適用したスラブ開口部用ガイド部材１の一実施形態の構成を示すもので、スラブ開口部用ガイド部材１は、図示のように、ガイド穴１０を囲む三本一体のアングル材１１と、一枚の平板材１２とで方形枠を形成している。
すなわち、三本のアングル材１１を平面視コ字状に溶接して、一枚の平板材１２の両端に接続板１３を溶接し、その接続板１３を平行する二辺部のアングル材１１に対しボルトナット１４により着脱可能に結合することで、アングル材１１の断面直角部が内側に位置してガイド穴１０を囲む方形枠を形成している。
【００１９】
このスラブ開口部用ガイド部材１は、正四角形の一辺が１０００ｍｍよりも若干大きい寸法の外形で、その正四角形で囲まれるガイド穴１０は、一辺が８５０ｍｍよりも若干大きい寸法となっている。
そして、アングル材１１及び平板材１２の外周には、突出部１５が溶接してそれぞれ設けられ、また、平行する二辺部のアングル材１１上には、持ち運ぶための一対の取っ手１６が溶接してそれぞれ設けられている。
【００２０】
その一対の取っ手１６を作業員が手で持ってスラブ開口部用ガイド部材１を持ち運び、図５に示すスラブ開口部２１にスラブ開口部用ガイド部材１を入れて、その開口部２１周囲のスラブ２上に突出部１５を載せることができる。
【００２１】
そして、ディストリビュータ柱３をガイド穴１０に挿入する際は、そのガイド穴１０を囲む内側に三本一体のアングル材１１の断面直角部が位置していて、スラブ開口部２１の三辺に対しアングル材１１の断面直角部がそれぞれ離間している。
従って、開口部２１周囲のスラブ２上を三本一体のアングル材１１がスライド移動して、スラブ開口部２１にディストリビュータ柱３をスムーズに挿入することができて、ディストリビュータ柱３を垂直に設置することができる。
【００２２】
ディストリビュータ柱３の設置完了後は、図２に示すように、ボルトナット１４を外すことで、先ず、一枚の平板材１２を取り外してから、三本一体のアングル材１１をスラブ開口部２１から簡単に取り外すことができる。
【００２３】
以上、実施形態のスラブ開口部用ガイド部材１によれば、スラブ開口部２１の上に載せて、そのガイド穴１０にディストリビュータ柱３を挿入することで、スラブ開口部２１にディストリビュータ柱３をスムーズに挿入することができて、ディストリビュータ柱３を垂直に設置することができる。
【００２４】
（変形例）
以上の実施形態においては、ディストリビュータ柱としたが、本発明はこれに限定されるものではなく、他の柱状部材であってもよい。
また、スラブ開口部、柱状部材、及びガイド穴の形状や寸法等も任意であり、その他、具体的な細部構造等についても適宜に変更可能であることは勿論である。
【符号の説明】
【００２５】
１  スラブ開口部用ガイド部材
１０  ガイド穴
１１  アングル材（方形枠）
１２  平板材（方形枠）
１３  接続板
１４  ボルトナット
１５  突出部
１６  取っ手
２  スラブ
２１  開口部
３  柱状部材（ディストリビュータ柱）
３１  凹部
４  多段式伸縮ブーム
５  コンクリート圧送管
６  固定金物
７  クライミング装置
【図１】
2018071096.tif 000003
【図２】
2018071096.tif 000004
【図３】
2018071096.tif 000005
【図４】
2018071096.tif 000006
【図５】
2018071096.tif 000007